(57)【要約】【課題】遮光体により、機械的に発光体からの光の見え方を変化させて、記録媒体の有無を判別することができる記録媒体再生装置の照明表示機構を提供する。【解決手段】  蓋体２が開いた状態であるとき、記録媒体１０はホルダ３に挿入可能となる。このとき遮光部８の小孔９が発光体５に重なり、発光範囲は小さい状態となる。次に、記録媒体１０を挿入すると、移動レバー４は挿入方向に移動し、移動レバー４と略一体に可動する遮光体８も挿入方向に移動する。これにより、遮光体８による発光体５の遮光が解除され、発光範囲が大きい状態になる。  このように発光の可視範囲が変わることで、記録媒体の有無を判別することが可能となる。【選択図】  図３
2005135556.tif 000002
【特許請求の範囲】
【請求項１】
記録媒体を収納する筐体と、
該筐体の一端を回転中心として回動する蓋体と、
該蓋体の内面側に略近接して設けられ、前記記録媒体が挿脱されるホルダと、
該ホルダと前記蓋体との間に配置された発光体と、を備え、
該発光体からの光を前記蓋体に設けられた可視部を通じて外部に出光する記録媒体再生装置の照明表示機構において、
前記ホルダに挿入される記録媒体の移動に伴って移動する移動レバーと、
前記可視部と前記発光体との間に配置され、前記移動レバーに連動する遮光体と、を備え、該遮光体は前記記録媒体がホルダに挿入されているか否かに応じて前記可視部と前記発光体との間における前記記録媒体の挿入方向に変位して前記発光体の光の前記可視部における出光状態を変化させることを特徴とする記録媒体再生装置の照明表示機構。
【請求項２】
前記遮光体は記録媒体が前記ホルダに挿入されていない時に、前記可視部と前記発光体との間に位置し、記録媒体が前記ホルダに挿入されている時に、前記可視部と前記発光体との間に位置しない請求項１に記載の記録媒体再生装置の照明表示機構。
【請求項３】
前記遮光体に孔部を形成し、前記ホルダに記録媒体が挿入されていない時に前記遮光体における孔部が形成されていない部分が前記可視部と前記発光体との間に位置し、前記ホルダに記録媒体が挿入されている時に前記孔部が前記可視部と前記発光体との間に位置する請求項１に記載の記録媒体再生装置の照明表示機構。
【請求項４】
記録媒体を収納する筐体と、
該筐体の一端を回転中心として回動する蓋体と、
該蓋体の内面側に略近接して設けられ、前記記録媒体が挿脱されるホルダと、
前記ホルダに挿入される記録媒体の移動に伴って移動する移動レバーと、  
前記蓋体における記録媒体の挿入方向に平行な２箇所に設けられた第１及び第２の可視部と、
前記ホルダと前記蓋体との間に配置され、移動レバーに連動して前記挿入方向に移動して前記ホルダに記録媒体が挿入されているか否かに応じて第１の可視部又は、第２の可視部に選択的に対向する発光体と、を設けたことを特徴とする記録媒体再生装置の照明表示機構。
【発明の詳細な説明】
【技術分野】
【０００１】
この発明は、記録媒体再生装置の照明表示機構、特に筐体内に記録媒体が収納されているかどうかを判別するための照明表示機構に関する。
【背景技術】
【０００２】
図８は従来技術における記録媒体再生装置の外観斜視図であり筐体１に蓋体２が回動可能に設けられ、この蓋体２にホルダ３が設けられ、開口部より記録媒体１０が挿入可能となっている。
図９（ａ）は従来の記録媒体再生装置における筐体１に記録媒体１０が挿入されていないときの平面図であり、図９（ｂ）はその側面断面図である。この図９において、１は筐体、２は蓋体、３はホルダ、４は移動レバー、５は発光体、６はフレキシブル基板、７は蓋体２に設けられた窓、１０は記録媒体，１１は移動レバー４の記録媒体接触部、１２はホルダ３に設けられた軸である。
【０００３】
蓋体２は、筐体１に支点１ａを中心に回動可能に設けられ、ホルダ３は蓋体２と略一体に、回動する様に蓋体２に設けられている。また、ホルダ３は記録媒体の挿入方向に垂直な方向に伸びる円柱形状の軸１２を備えており、移動レバー４に設けられた挿入方向に平行な方向を長手方向とする長孔に挿通している。移動レバー４は、ホルダ３の側面に沿って移動するように配置されており、記録媒体挿入方向の奥側端部に、挿入方向に垂直な方向に屈曲する接触部１１を備えている。フレキシブル基板６は発光体５を有し、ホルダ３の蓋体側の表面に取り付けられている。窓７は、蓋体２における発光体５に対向する位置に設けられており、発光体５からの光を蓋体２の表面側（外部）に導く。
【０００４】
図１０（ａ）、（ｂ）、（ｃ）、（ｄ）は従来の記録媒体再生装置の筐体１に記録媒体１０を挿入する工程を示す側面断面図である。図１０（ａ）に示すように蓋体２が開いた状態であるとき、記録媒体１０はホルダ３に挿入可能となる。このとき発光体５からの光は窓７より見ることができる。
【０００５】
次に、図１０（ｂ）に示すように記録媒体１０を前端部からホルダ３に挿入していくと、記録媒体１０の前端部は移動レバー４の接触部１１に当接する。
【０００６】
この後、図１０（ｃ）に示すように記録媒体１０をさらに挿入すると、移動レバー４は挿入方向に移動する。
【０００７】
そして、図１０（ｄ）に示すように記録媒体１０をホルダの最奥部まで挿入した状態で蓋体２を閉めると、記録媒体１０は再生可能位置に装着され再生可能となる。
記録媒体１０が再生可能位置に装着された状態において、ホルダ３に取り付けられた発光体５は移動しないので、発光体５と蓋体２に取り付けられた窓７は常に対向しており、常に発光体５からの光を可視できる。
【０００８】
なお、記録媒体再生装置の照明表示機構には次のようなものも提案されている（例えば特許文献１参照。）。
【特許文献１】特開平５−１５０２３３号公報
【発明の開示】
【発明が解決しようとする課題】
【０００９】
ところが、従来の記録媒体再生装置では、記録媒体の収納の有無に関係なく、発光体と窓が常に対向しており、発光体を用いて記録媒体の有無を確認するために、電気的な手段、例えば、記録媒体が収納されているかどうかを検出する手段、及び、この検出手段の検出結果に基づいて発光体の点滅状態を変化させる点灯制御手段を備える必要があり、構造の複雑化及びコストの上昇を生じていた。この発明の目的は記録媒体の収納の有無を検出する手段や、発光体の発光状態を制御する手段を必要とすることなく発光体を用いて記録媒体の有無を確認できるようにし構造の簡略化及びコストダウンを実現できる記録媒体再生装置の照明表示機構を零強することにある。
【課題を解決するための手段】
【００１０】
この発明は、上記の問題を解決するための手段として、以下の構成を備えたものである。
【００１１】
（１）記録媒体を収納する筐体と、
該筐体の一端を回転中心として回動する蓋体と、
該蓋体の内面側に略近接して設けられ、前記記録媒体が挿脱自在にされるホルダと、
該ホルダと前記蓋体との間に配置された発光体と、を備え、
該発光体からの光を前記蓋体に設けられた可視部を通じて外部に出光する記録媒体再生装置の照明表示機構において、
前記ホルダに挿入される記録媒体の移動に伴って移動する移動レバーと、
前記可視部と前記発光体との間に配置され、前記移動レバーに連動する遮光体と、を備え、該遮光体は前記記録媒体がホルダに挿入されているか否かに応じて前記可視部と前記発光体との間における前記記録媒体の挿入方向の位置が変化することを特徴としている。  この構成では、記録媒体がホルダに挿入されているか否かに応じて移動する移動レバーが連動して発光体と可視部との間における遮光体の挿入方向の位置が変化し、発光体の光の可視部における出光状態が変化する。
【００１２】
これにより、可視部における発光体の見え方によって記録媒体の有無が分かる。
【００１３】
（２）前記遮光体は記録媒体が前記ホルダに挿入されていない時に、前記可視部と前記発光体との間に位置し、記録媒体が前記ホルダに挿入されている時に、前記可視部と前記発光体との間に位置しないことを特徴としている。
【００１４】
この構成では、記録媒体がホルダに挿入されていないときは発光体と可視部の間に遮光体が位置し発光体からの光が遮断され、記録媒体がホルダに挿入されているときは移動レバーと連動して遮光体が移動し、発光体からの光が可視部に出光される。これにより、可視部における発光体の見え方によって記録媒体の有無が分かる。
【００１５】
（３）前記遮光体に孔部を形成し、前記ホルダに記録媒体が挿入されていない時に前記遮光体における孔部が形成されていない部分が前記可視部と前記発光体との間に位置し、前記ホルダに記録媒体が挿入されている時に前記孔部が前記可視部と前記発光体との間に位置することを特徴としている。
【００１６】
この構成では、記録媒体がホルダに挿入されていないときは発光体と可視部の間に遮光体が位置し発光体からの光が遮断され、記録媒体がホルダに挿入されているときは移動レバーと連動して遮光体が移動し，遮光体の孔が可視部と発光体の間に位置し、発光体からの光が可視部に出光される。これにより、可視部における発光体の見え方によって記録媒体の有無が分かる。
【００１７】
（４）記録媒体を収納する筐体と、
該筐体の一端を回転中心として回動する蓋体と、
該蓋体の内面側に略近接して設けられ、前記記録媒体が挿脱されるホルダと、
前記ホルダに挿入される記録媒体の移動に伴って移動する移動レバーと、
前記蓋体における記録媒体の挿入方向に平行な２箇所に設けられた第１及び第２の可視部と、
前記ホルダと前記蓋体との間に配置され、移動レバーに連動して前記挿入方向に移動して前記ホルダに記録媒体が挿入されているか否かに応じて第１の可視部又は、第２の可視部に選択的に対向する発光体と、を設けたことを特徴としている。
【００１８】
この構成では、記録媒体がホルダに収納されていないときは、第１の可視部に発光体が位置し、発光体からの光が第１の可視部に出光され、記録媒体がホルダに収納されていないときは、発光体が移動し、第２の可視部に発光体が位置し、発光体からの光が第２の可視部に出光される。これにより、第１の可視部か第２の可視部かにより記録媒体の有無が分かる。
【発明の効果】
【００１９】
この発明によれば、記録媒体の有無に応じて遮光体により機械的に発光体からの光の見え方が変化するので、ユーザは、この光を見ることで、記録媒体の有無を判別することができる。また、発光体による光の見える孔の位置が変化するので、ユーザはこの光を見ることで記録媒体の有無を判別することが出来る。
【発明を実施するための最良の形態】
【００２０】
まず本発明の第１の実施形態に係る照明表示機構について、図面を参照しつつ詳細に説明する。
【００２１】
図１（ａ）は本実施形態に係る照明表示機構で適用される記録媒体再生装置の筐体１に記録媒体が挿入されていないときの平面図であり、図１（ｂ）はその側面断面図である。  図２は図１に示す記録媒体再生装置の外観斜視図である。
【００２２】
この図１、２において、１は筐体、２は蓋体、３はホルダー、４は移動レバー、５は発光体、６はフレキシブル基板、７は蓋体２に設けられた窓（この発明の可視部に相当する。）、８は遮光体、９は遮光体８に設けられた小孔、１０は記録媒体、１１は移動レバー４の接触部、１２はホルダ３に設けられた軸である。
【００２３】
蓋体２は、筐体１に支点１ａを中心に回動可能に設けられ、ホルダ３は蓋体２と略一体に回動する様に蓋体２に設けられている。またホルダ３は記録媒体１０の挿入方向に垂直な方向に伸びる円柱形状の軸１２を備えており、移動レバー４に設けられた挿入方向に平行な方向を長手方向とする長孔に挿通している。
【００２４】
移動レバー４は、ホルダ３に沿って移動するように配置されており、記録媒体の挿入方向の奥側端部には挿入方向に垂直な方向に屈曲する接触部１１を備えている。
【００２５】
フレキシブル基板６は発光体５を有し、ホルダ３の蓋体２側に取り付けられている。窓７は、蓋体２における発光体５に対向する位置に設けられており、発光体５からの光を蓋体２の表面側（外部）に導く。
【００２６】
遮光体８は、蓋体２と発光体５が設けられたフレキシブル基板６との間に配置されており、蓋体２の窓７よりも小さい径の小孔９が設けられている。この小孔９は記録媒体１０が挿入されていない状態で蓋体２の窓７に対向する位置に設けられている。また、遮光体８は移動レバー４に連続しており、移動レバー４の動きに応じて移動する。図１に示す状態では、遮光体８が発光体５と蓋体２との間に存在するので発光体５からの光は遮光体の小孔９以外の部分で遮光される。すなわち、蓋２の窓７からは、小孔９に応じた大きさの光のみを見ることができる。
【００２７】
図３（ａ）、（ｂ）、（ｃ）、（ｄ）は本実施形態を示す記録媒体再生装置の筐体１に記録媒体１０を挿入する工程を示す側面断面図である。
【００２８】
図３（ａ）に示すように蓋体２が開いた状態であるとき、記録媒体１０はホルダ３に挿入可能となる。このとき、ホルダ３には記録媒体１０が挿入されていないため遮光体８は小穴９が形成されている部分において発光体５と窓７との間に位置し、発光範囲は小さい状態となる。
【００２９】
次に、図３（ｂ）に示すように記録媒体１０をホルダ３に挿入していくと、記録媒体１０の奥端部は移動レバー４の接触部１１に当接する。
【００３０】
この後、図３（ｃ）に示すように記録媒体１０をさらに挿入すると、移動レバー４は挿入方向に移動し、移動レバー４と略一体に可動する遮光体８も挿入方向に移動する。これにより、遮光体８が発光体５と窓７との間に位置しなくなり、遮光体８による発光体５の遮光が解除され、発光可視範囲が広い状態になる。
【００３１】
そして、図３（ｄ）に示すように記録媒体１０を最奥部まで挿入した状態で蓋体２を閉めると、遮光が解除された状態で、記録媒体１０は再生可能位置に装着され再生可能となる。
【００３２】
図４（ａ）は記録媒体が挿入されている平面図、図４（ｂ）は、その側面断面図であり、図４に示す状態は図３（ｄ）と同じである。発光体５は遮光体８による遮光が解除されているので、発光体５からの発光は、窓７より効率よく全面で照明表示される。
【００３３】
このように記録媒体の収納の有無に応じて発光体からの光の見え方が異なるので、この光の状態により、記録媒体の有無を判別することが可能となる。
【００３４】
なお、本実施形態では、遮光体に小孔を設けこの小孔からの光により記録媒体が収納されていない状態を表すこととしたが、遮光体に小孔を設けず、完全な遮光により、記録媒体が収納されていない状態を表してもよい。
【００３５】
また、本実施形態では、記録媒体収納時に遮光体が移動して発光体と窓との間に存在しないようにしたが、遮光体に窓と同程度の大孔を設け、記録媒体収納時に遮光体が移動して、大孔が発光体と窓との間にくるようにしてもよい。
【００３６】
次に、本発明の第２の実施形態に係る照明表示機構について図面を参照しつつ詳細に説明する。
【００３７】
図５（ａ）は本実施形態に係る照明表示機構が適用される記録媒体再生装置の筐体１に記録媒体が挿入されていないときの平面図であり、図５（ｂ）はその側面断面図である。  図６は図５に示す記録媒体再生装置の外観斜視図である。
【００３８】
図７（ａ９は本実施形態に係る照明表示機構が適用される記録媒体再生装置の筐体１に記録媒体が挿入されているときの平面図であり、図７（ｂ）はその側面断面図である
図５、図６、図７において図１と同じ構成部品には、同符号を付し、説明を省略する。  １３，１４は蓋２に設けられた第１、第２の窓であり、本発明の第１、第２の可視部に相当する。発光体５を有するフレキシブル基板６は移動レバー４の蓋体２側に配置されており、移動レバー４の移動によって一体に移動する。蓋体２には、記録媒体１０が挿入されていない時、即ち移動レバー４が移動していないときに、発光体５と対向する位置に、第１の窓１３が設けられている。また記録媒体１０が挿入された時、即ち移動レバー４が記録媒体１０により移動したときに、発光体５に対向する位置に第２の窓１４が設けられている。このように、記録媒体１０が挿入されていないときは、発光体５に対向する第１の窓１３から光を外部に導く。また、記録媒体１０が挿入されるときは、移動レバー４が、挿入方向に移動し、これにより発光体５も移動して、発光体５に対向する第２の窓１４から光を外部に導く。
【００３９】
このような構成とすることで、記録媒体の収納の有無により光の見える位置が異なるので、この光の位置に基づいて、記録媒体が収納されているかどうかを確認することができる。
【図面の簡単な説明】
【００４０】
【図１】第１の実施形態に係る記録媒体再生装置の筐体１に記録媒体が挿入されていないときの平面図、及び、その側面断面図である。
【図２】図１に示す記録媒体再生装置の外観斜視図である。
【図３】図１に示す記録媒体再生装置の筐体１に記録媒体を挿入する工程を示す側面断面図である。
【図４】記録媒体再生装置の筐体１に記録媒体が挿入されているときの平面図、及びその側面断面図である。
【図５】第２の実施形態に係る記録媒体再生装置の筐体１に記録媒体が挿入されていないときの平面図、及び、その側面断面図である。
【図６】図５に示す記録媒体再生装置の外観斜視図である。
【図７】図５に示す記録媒体再生装置の筐体１に記録媒体が挿入されている平面図、及び、その側面断面図 である。
【図８】従来技術における記録媒体再生装置の外観斜視図である。
【図９】図８に示す記録媒体再生装置の筐体１に記録媒体が挿入されていないときの平面図、及び、その側面断面図である。
【図１０】図８に示す 記録媒体再生装置の筐体１に記録媒体を挿入する工程を示すの側面断面図である。
【図１】
2005135556.tif 000003
【図２】
2005135556.tif 000004
【図３】
2005135556.tif 000005
【図４】
2005135556.tif 000006
【図５】
2005135556.tif 000007
【図６】
2005135556.tif 000008
【図７】
2005135556.tif 000009
【図８】
2005135556.tif 000010
【図９】
2005135556.tif 000011
【図１０】
2005135556.tif 000012